(57)【要約】【課題】所望とする文字、図形、模様等を提手部に表示できるためコスト的に非常に有利であって、斬新なデザインの手提げ用袋を提供する。【解決手段】正面部１２と側面部１３と底部１４とからなり、上方が開口している袋本体１１と、前記袋本体１１の対向する正面部１２の外側表面１５にそれぞれ一対の提手部２０を備えた手提げ用袋であって、前記提手部２０は上部２２に把持部２３を有する平板部材２１によって構成されているとともに、前記把持部２３の下部２４が表示部２５として形成されている。【選択図】図１
0003125439.tif 000002
【実用新案登録請求の範囲】
【請求項１】
正面部と側面部と底部とからなり、上方が開口している袋本体と、
前記袋本体の対向する正面部の外側表面にそれぞれ一対の提手部を備えた手提げ用袋であって、
前記提手部は上部に把持部を有する平板部材によって構成されているとともに、前記把持部の下部が表示部として形成されていることを特徴とする手提げ用袋。
【請求項２】
前記提手部のほぼ全面に補強裏打ち部材が貼着されている請求項１に記載の手提げ用袋。
【請求項３】
前記提手部の上下方向の長さが横方向の長さよりも長い請求項１又は２に記載の手提げ用袋。
【考案の詳細な説明】
【技術分野】
【０００１】
この考案は、手提げ用袋に関する。
【背景技術】
【０００２】
従来、ケーキや菓子等の食料品あるいは衣料品等の様々な商品を購入すると、その店独自の手提げ袋に商品が包装、収納されて、買い物客に手渡される。このような手提げ袋には、通常、販売促進、宣伝広告などのため、袋本体の正面部や側面部にその店の名称、電話番号等の文字や模様、図形等が表示されている。そして、提手部としては、紙製や樹脂製の幅の細い紐状のようなものが使用されているのが一般的である。
【０００３】
しかしながら、前記のような手提げ袋は定型的でありふれており、際立った宣伝効果を期待することができない。さらに、袋本体に店名、電話番号などの文字や図形、模様等を印刷する場合、生産の都合上、通常は同一のデザインで一度に大量の袋本体を作製することが多く、文字や模様のデザインを変更したり、複数種類のデザインの手提げ袋を作製する度に高いコストがかかることが懸念されている。
【０００４】
一方、宣伝効果を高めるために樹脂製の提手に星形やハート型や各種キャラクター等の任意形状の貫通孔を複数個設けた袋物用提手等もある（例えば、特許文献１参照）。ところが、特許文献１のような提手部は幅が狭いので貫通孔の大きさ、形状が限られており、さらに形成された任意形状の貫通孔は提手部を把持する手に隠れてしまうので、前述の従来公知の手提げ袋と外見的にはほとんど差異がなく宣伝効果が高いとはいえない。
【特許文献１】特開２００３−１１２７４５号公報
【考案の開示】
【考案が解決しようとする課題】
【０００５】
この考案は前記の点に鑑みなされたものであり、所望とする文字、図形、模様等を効果的に表示することができ、デザイン性が高く、コスト的に非常に有利な手提げ用袋を提供するものである。
【課題を解決するための手段】
【０００６】
すなわち、請求項１の考案は、正面部と側面部と底部とからなり、上方が開口している袋本体と、前記袋本体の対向する正面部の外側表面にそれぞれ一対の提手部を備えた手提げ用袋であって、前記提手部は上部に把持部を有する平板部材によって構成されているとともに、前記把持部の下部が表示部として形成されていることを特徴とする手提げ用袋に係る。
【０００７】
また、請求項２の考案は、前記提手部のほぼ全面に補強裏打ち部材が貼着されている請求項１に記載の手提げ用袋に係る。
【０００８】
請求項３の考案は、前記提手部の上下方向の長さが横方向の長さよりも長い請求項１又は２に記載の手提げ用袋に係る。
【考案の効果】
【０００９】
請求項１の考案に係る手提げ用袋によれば、正面部と側面部と底部とからなり、上方が開口している袋本体と、前記袋本体の対向する正面部の外側表面にそれぞれ一対の提手部を備えた手提げ用袋であって、前記提手部は上部に把持部を有する平板部材によって構成されているとともに、前記把持部の下部が表示部として形成されているので、表示部に文字、図形、模様、記号等を十分に表示することができ、デザイン性や宣伝効果が高い。また、袋本体は従来公知のものを利用して、所望の表示部が形成された提手部のみを製造することができるので、コスト的に非常に有利である。
【００１０】
請求項２の考案によれば、請求項１において、前記提手部のほぼ全面に補強裏打ち部材が貼着されているので、提手部が丈夫で手提げ用袋の強度や耐久性が高くなる。
【００１１】
請求項３の考案によれば、請求項１又は２において、前記提手部の上下方向の長さが横方向の長さよりも長いので、非常に把持しやすい。
【考案を実施するための最良の形態】
【００１２】
以下添付の図面に従ってこの考案を詳細に説明する。図１は本考案の一実施例に係る手提げ用袋の全体斜視図、図２は提手部の実施例を示す正面図、図３は図２（ａ）のＡ−Ａ線における断面図、図４は提手部の別例を示す正面図である。
【００１３】
図１に図示した手提げ用袋１０は、正面部１２と側面部１３と底部１４とからなり、上方が開口している袋本体１１と、前記袋本体１１の対向する正面部１２の外側表面１５にそれぞれ一対の提手部２０を備えた手提げ用袋であって、前記提手部２０は上部２２に把持部２３を有する平板部材２１によって構成されているとともに、前記把持部２３の下部２４が表示部２５として形成されているものである。以下、前記手提げ用袋の好ましい実施例を具体的に説明する。図示した手提げ用袋１０は、袋本体１１と、提手部２０を備えている。なお、図中において符号１６は正面部１２の内側表面、２７は把持部２３に形成された開口部である。
【００１４】
袋本体１１は、図１に示すように、正面部１２と側面部１３と底部１４からなり、上方が開口している。手提げ用袋１０は折り畳み可能で、正面部１２と側面部１３には、適宜折り畳むための折れ線が形成されている。袋本体１１の材質は、特に限られず、ポリエチレン、ポリプロピレン、ポリ塩化ビニル等の合成樹脂、合成繊維、不織布、天然繊維等が挙げられ、コスト的な観点、取り扱いの容易さから、紙が好ましい。また、袋本体の大きさは適宜変更され、袋本体として従来公知の袋を使用することができる。
【００１５】
提手部２０は前記袋本体１１の対向する正面部１２の外側表面１５の上側中央付近にそれぞれ一対備えられている。提手部２０は袋本体１１に従来公知の手法により取り付けられ、例えば接着材による貼着や熱溶着、あるいは袋本体と提手部に貫通孔を形成して留具により留着等されていてもよい。
【００１６】
また、提手部２０は、図１及び図２に示すように、上部２２に把持部２３を有する平板部材２１によって構成されているとともに、前記把持部２３の下部２４が表示部２５として形成されている。提手部２０を構成する平板部材２１は把持することが可能な強度を有しており、その材質は特に限定されず、紙、ポリエチレン、ポリプロピレン、ポリ塩化ビニル等の合成樹脂、合成繊維、不織布、天然繊維、木片等が挙げられる。また、提手部２０の形状は、円形、楕円形、矩形、正方形等どのような形状でも良い。特に、図２の実施例のように矩形（図２（ａ））や台形（図２（ｂ））であれば、袋本体１１と提手部２０を接着材により貼着するような場合などは、接着面を十分に確保できるので、袋本体１１と提手部２０を確実に固着することができ、手提げ用袋１０の耐久性が高くなる。また、後述の表示部２５の領域が広くなるため、文字、図形、記号等も十分に表示することができる。
【００１７】
把持部２３は、提手部２０を構成する平板部材２１の上部２２に形成される。把持部２３に設けられた開口部２７に手を挿入、把持して持ち運びが容易なように形成され、把持部２３の大きさや形状は限定されない。
【００１８】
表示部２５は、前記把持部２３の下部２４に形成される。例えば、消費者が購入した商品を収納、包装するための手提げ用袋１０であるような場合には、販売店の名称や電話番号、その販売店を表すマーク、模様、図形、記号等、あるいはその店舗におけるイベントの告知等の文字を表示部２５に表示することができる。これらの文字、図形等は、提手部２０を構成する平板部材２１の表面に直接、公知の手法により所望とする文字等が印刷されて表示される。また、表示部として、裏面に接着材が塗着されたシール部材の表面に文字、模様、図形等が印刷されたものを把持部の下部へ貼着するようにしても構わない。このようにすれば、表示する文字やデザインを変更する場合などに、表示部のみを作製することで、デザインの変更等を極めて容易に行うことができる。
【００１９】
従来では、袋本体の正面部等に文字、図形等を印刷していたため、生産の都合上、同一のデザインで一度に大量に袋本体を製造しなければならず、デザインを変更したり、複数種類のパターンのものを印刷するような場合は、その度に高いコストがかかる傾向にあった。それに対し、本考案の手提げ用袋１０は、所望の文字、図形等を表示するための表示部２５が提手部２０に形成されているので、従来公知の袋本体を利用することが可能であり、提手部２０のみを作製すれば良いのでコスト的に大変有利である。
【００２０】
また、図３に示し、請求項２の考案として規定するように、前記提手部２０のほぼ全面に補強裏打ち部材３０が貼着されていることが好ましい。図３の実施例では、２つの平板部材２１の間に補強裏打ち部材３０が貼着されている。貼着方法は、公知の手法により接着材、糊材等により貼着される。また、図示しないが、平板部材２１がポリエチレンフィルム等からなる場合、補強裏打ち部材３０を加熱ラミネートするような構成としてもよい。
【００２１】
補強裏打ち部材３０は、段ボール、厚紙あるいはポリウレタンフォーム等からなるクッション材でも構わない。補強裏打ち部材３０を提手部２０のほぼ全面に貼着することで、提手部の耐久性が高くなり、手提げ用袋としての強度や耐久性も向上させることができ、より重量の重い物を入れて持ち歩くことが可能である。また、提手部２０の厚みが増して把持しやすくなり、把持したときの感触も向上する。
【００２２】
さらに、請求項３の考案として規定し、図４から理解されるように、前記提手部２０の上下方向の長さＬ１が横方向の長さＬ２よりも長く構成されることが好ましい。提手部２０の上下方向の長さＬ１が短いと、袋本体の大きさによっては把持しにくく、手提げ用袋を持ち運ぶのに煩雑な場合があるのに対し、前記提手部２０の上下方向の長さＬ１が横方向の長さＬ２よりも長いと非常に把持しやすく、袋本体や提手部に余分な負荷がかからないので提手用袋の耐久性が向上することが期待できる。
【図面の簡単な説明】
【００２３】
【図１】本考案の一実施例に係る手提げ用袋の全体斜視図である。
【図２】提手部の実施例を示す正面図である。
【図３】図２（ａ）のＡ−Ａ線における断面図である。
【図４】提手部の別例を示す正面図である。
【符号の説明】
【００２４】
１０  手提げ用袋
１１  袋本体
１２  正面部
１３  側面部
１４  底面部
１５  外側表面
２０  提手部
２１  平板部材
２２  上部
２３  把持部
２４  下部
２５  表示部
３０  補強裏打ち部材
【図１】
0003125439.tif 000003
【図２】
0003125439.tif 000004
【図３】
0003125439.tif 000005
【図４】
0003125439.tif 000006